(57)【特許請求の範囲】
【請求項１】
筐体と、
前記筐体のそれぞれ異なる位置に配置される第１ループ部および第２ループ部を有するアンテナと、
前記アンテナにより受信される信号を処理する信号処理部と、
前記アンテナにより受信される第１の信号または第２の信号を検出する信号検出部と、
前記第１ループ部および前記第２ループ部により形成される一つのループアンテナが前記信号検出部に接続された状態で、前記信号検出部により前記第１の信号が検出された場合には前記一つのループアンテナにより受信される信号を前記信号処理部に伝送し、前記信号検出部により前記第２の信号が検出された場合には前記第１ループ部により受信される信号を前記信号処理部に伝送する制御部と、を備える携帯電子機器。
【請求項２】
前記制御部は、前記第１ループ部および前記第２ループ部により形成される一つのループアンテナが前記信号検出部に接続された状態で、前記信号検出部により前記第２の信号が検出された場合には前記第１ループ部により受信される信号を前記信号処理部に伝送すると共に前記第２ループ部により受信される信号を前記信号検出部に伝送し、前記第２ループ部と接続された前記信号検出部により前記第２の信号が検出された場合には、前記第１ループ部により受信される信号を前記信号検出部に伝送すると共に前記第２ループ部により受信される信号を前記信号処理部に伝送する請求項１に記載の携帯電子機器。
【請求項３】
前記筐体は、互いに対向する第１面および第２面を有し、
前記第１ループ部は、前記筐体の前記第１面に配置され、
前記第２ループ部は、前記筐体の前記第２面に配置される請求項１または２に記載の携帯電子機器。
【請求項４】
前記筐体は、
前記第１面を有する第１筐体と、
前記第２面を有する第２筐体と、
前記第１筐体における前記第１面と反対側の面と前記第２筐体における前記第２面と反対側の面とが互いに対向した状態で前記第１筐体と前記第２筐体とが積層配置された閉状態と、前記第１面と前記第２面とが互いに離間した状態で前記第１筐体と前記第２筐体とが所定方向に並ぶように配置される開状態とをとり得るように前記第１筐体と前記第２筐体とを開閉軸を中心に開閉可能に連結する連結部と、を有し、
前記第１ループ部および前記第２ループ部は、前記開状態において前記一つのループアンテナが形成される際に、前記第１ループ部により受信される信号と前記第２ループ部により受信される信号とが打ち消しあわないよう前記第１筐体または前記第２筐体それぞれに配置される請求項３に記載の携帯電子機器。
【請求項５】
前記第１ループ部および前記第２ループ部は、前記閉状態において前記第１筐体および前記第２筐体の積層方向にみた場合における前記第１ループ部のループ方向と、前記積層方向にみた前記第２ループ部のループ方向とが互いに反対の方向になるよう前記第１筐体または前記第２筐体それぞれに配置され、
前記第１筐体および前記第２筐体の少なくとも一方に配置される磁界遮蔽部材を有し、
前記磁界遮蔽部材は、前記閉状態において、前記第１ループ部と前記第２ループ部との間に配置される請求項４に記載の携帯電子機器。
【請求項６】
前記第１ループ部は、前記第１筐体における前記連結部側の領域に配置され、
前記第２ループ部は、前記第２筐体における前記連結部側の領域に配置される請求項４または請求項５に記載の携帯電子機器。
【請求項７】
筐体と、
前記筐体のそれぞれ異なる位置に配置される第１ループ部および第２ループ部を有するアンテナと、
前記アンテナにより受信される信号をそれぞれ処理する第１信号処理部および第２信号処理部と、
前記第１信号処理部に接続されると共に、前記アンテナにより受信される第１の信号または第２の信号を検出する信号検出部と、
前記第１ループ部および前記第２ループ部により形成される一つのループアンテナが前記信号検出部に接続された状態で、前記信号検出部により前記第１の信号が検出された場合には前記第１信号処理部により前記一つのループアンテナにより受信される信号を処理し、前記信号検出部により前記第２の信号が検出された場合には前記第１ループ部と前記第２信号処理部とを接続すると共に前記第２ループ部と前記信号検出部とを接続する制御部と、を備える携帯電子機器。
【請求項８】
前記制御部は、前記第２ループ部と接続された前記信号検出部により前記第２の信号が検出された場合には、前記第１ループ部と前記信号検出部とを接続すると共に前記第２ループ部と前記第２信号処理部とを接続する請求項７に記載の携帯電子機器。
【発明の詳細な説明】
【技術分野】
【０００１】
本発明は、ループアンテナを有する携帯電子機器に関する。
【背景技術】
【０００２】
携帯電子機器は、筐体内に配置されているループアンテナを利用して、外部機器との間で非接触通信を行う通信処理部（ＲＦＩＤ、Ｒａｄｉｏ  Ｆｒｅｑｕｅｎｃｙ  Ｉｄｅｎｔｉｆｉｃａｔｉｏｎ）を有するものがある（例えば、特許文献１を参照）。携帯電子機器は、この通信処理部を利用して、例えば、施設における入退室時の認証処理を行っている。
【０００３】
また、携帯電子機器は、筐体内に配置されているループアンテナを利用して、外部機器との間で電磁結合を行い、電力の供給を受ける電力処理部を有するものがある（例えば、特許文献２を参照）。
【先行技術文献】
【特許文献】
【０００４】
【特許文献１】特開２００７−３３６４８０号公報
【特許文献２】特開平０５−１１４０５５号公報
【発明の概要】
【発明が解決しようとする課題】
【０００５】
ところで、この通信処理部および電力処理部は、所定範囲内において、外部機器から放射される電磁波をループアンテナで受信することによって各処理を行っている。
ここで、この通信処理部と電力処理部の双方を備える携帯電子機器を想定した場合には、ループアンテナで受信した通信用の信号が電力処理部に供給されたり、ループアンテナで受信した電力供給用の信号が通信処理部に供給されたりすることを回避するために、ループアンテナで受信した信号がいずれの処理部に適したものかを判断して切り替える構成が必要である。
【０００６】
本発明は、ループアンテナで受信した信号がいずれの処理部に適したものかを判断し、異なる種類の非接触通信を好適に行うことができる携帯電子機器を提供することを一つの目的とする。
【課題を解決するための手段】
【０００７】
本発明に係る携帯電子機器は、上記課題を解決するために、筐体と、前記筐体のそれぞれ異なる位置に配置される第１ループ部および第２ループ部を有するアンテナと、前記アンテナにより受信される信号を処理する信号処理部と、前記アンテナにより受信される第１の信号または第２の信号を検出する信号検出部と、前記第１ループ部および前記第２ループ部により形成される一つのループアンテナが前記信号検出部に接続された状態で、前記信号検出部により前記第１の信号が検出された場合には前記一つのループアンテナにより受信される信号を前記信号処理部に伝送し、前記信号検出部により前記第２の信号が検出された場合には前記第１ループ部により受信される信号を前記信号処理部に伝送する制御部と、を備える構成である。
【０００８】
また、携帯電子機器では、前記制御部は、前記第１ループ部および前記第２ループ部により形成される一つのループアンテナが前記信号検出部に接続された状態で、前記信号検出部により前記第２の信号が検出された場合には前記第１ループ部により受信される信号を前記信号処理部に伝送すると共に前記第２ループ部により受信される信号を前記信号検出部に伝送し、前記第２ループ部と接続された前記信号検出部により前記第２の信号が検出された場合には、前記第１ループ部により受信される信号を前記信号検出部に伝送すると共に前記第２ループ部により受信される信号を前記信号処理部に伝送する構成でも良い。
【０００９】
また、携帯電子機器では、前記筐体は、互いに対向する第１面および第２面を有し、前記第１ループ部は、前記筐体の前記第１面に配置され、前記第２ループ部は、前記筐体の前記第２面に配置される構成でも良い。
【００１０】
また、携帯電子機器では、前記筐体は、前記第１面を有する第１筐体と、前記第２面を有する第２筐体と、前記第１筐体における前記第１面と反対側の面と前記第２筐体における前記第２面と反対側の面とが互いに対向した状態で前記第１筐体と前記第２筐体とが積層配置された閉状態と、前記第１面と前記第２面とが互いに離間した状態で前記第１筐体と前記第２筐体とが所定方向に並ぶように配置される開状態とをとり得るように前記第１筐体と前記第２筐体とを開閉軸を中心に開閉可能に連結する連結部と、を有し、前記第１ループ部および前記第２ループ部は、前記開状態において前記一つのループアンテナが形成される際に、前記第１ループ部により受信される信号と前記第２ループ部により受信される信号とが打ち消しあわないよう前記第１筐体または前記第２筐体それぞれに配置される構成でも良い。
【００１１】
また、携帯電子機器では、前記第１ループ部および前記第２ループ部は、前記閉状態において前記第１筐体および前記第２筐体の積層方向にみた場合における前記第１ループ部のループ方向と、前記積層方向にみた前記第２ループ部のループ方向とが互いに反対の方向になるよう前記第１筐体または前記第２筐体それぞれに配置され、前記第１筐体および前記第２筐体の少なくとも一方に配置される磁界遮蔽部材を有し、前記磁界遮蔽部材は、前記閉状態において、前記第１ループ部と前記第２ループ部との間に配置される構成でも良い。
【００１２】
また、携帯電子機器では、前記第１ループ部は、前記第１筐体における前記連結部側の領域に配置され、前記第２ループ部は、前記第２筐体における前記連結部側の領域に配置される構成でも良い。
【００１３】
また、本発明に係る携帯電子機器は、上記課題を解決するために、筐体と、前記筐体のそれぞれ異なる位置に配置される第１ループ部および第２ループ部を有するアンテナと、前記アンテナにより受信される信号をそれぞれ処理する第１信号処理部および第２信号処理部と、前記第１信号処理部に接続されると共に、前記アンテナにより受信される第１の信号または第２の信号を検出する信号検出部と、前記第１ループ部および前記第２ループ部により形成される一つのループアンテナが前記信号検出部に接続された状態で、前記信号検出部により前記第１の信号が検出された場合には前記第１信号処理部により前記一つのループアンテナにより受信される信号を処理し、前記信号検出部により前記第２の信号が検出された場合には前記第１ループ部と前記第２信号処理部とを接続すると共に前記第２ループ部と前記信号検出部とを接続する制御部と、を備える構成である。
【００１４】
また、携帯電子機器では、前記制御部は、前記第２ループ部と接続された前記信号検出部により前記第２の信号が検出された場合には、前記第１ループ部と前記信号検出部とを接続すると共に前記第２ループ部と前記第２信号処理部とを接続する構成でも良い。
【発明の効果】
【００１５】
本発明に係る携帯電子機器によれば、ループアンテナで受信した信号がいずれの処理部に適したものかを判断し、異なる種類の非接触通信を好適に行うことができる。
【図面の簡単な説明】
【００１６】
【図１】携帯電話装置の外観を示す図である。
【図２】携帯電話装置の機能を示す機能ブロック図である。
【図３】第１状態における選択部の切替状態についての説明に供する図である。
【図４】第２状態における選択部の切替状態についての説明に供する図である。
【図５】操作部側筐体部を充電器に対向させて載置し、表示部側筐体部に外部機器を近接させたときの様子を示す図である。
【図６】第３状態における選択部の切替状態についての説明に供する図である。
【図７】表示部側筐体部を充電器に対向させて載置し、操作部側筐体部に外部機器を近接させたときの様子を示す図である。
【図８】携帯電話装置の動作についの説明に供するフローチャートである。
【発明を実施するための形態】
【００１７】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）でも良い。
【００１８】
携帯電話装置１は、図１に示すように、操作部側筐体部２（第１筐体）と、表示部側筐体部３（第２筐体）とを備えて構成される。操作部側筐体部２は、表面部１０（第１面）に、操作ボタン群１１と、携帯電話装置１の使用者が通話時に発した音声が入力される音声入力部１２とを備えて構成される。操作ボタン群１１は、各種設定や電話帳機能やメール機能等の各種機能を作動させるための機能設定操作ボタン１３と、電話番号の数字やメール等の文字等を入力するための入力操作ボタン１４と、各種操作における決定やスクロール等を行う決定操作ボタン１５とから構成されている。
【００１９】
また、表示部側筐体部３は、表面部２０（第２面）に、各種情報を表示するためのディスプレイ２１と、通話の相手側の音声を出力する音声出力部２２とを備えて構成されている。また、上述した操作ボタン群１１、音声入力部１２、ディスプレイ２１および音声出力部２２は、詳細は後述する処理部７１の一部を構成している。
【００２０】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）と、操作部側筐体部２と表示部側筐体部３とを折り畳んだ状態（折畳み状態）との間を相対移動可能に構成される。
【００２１】
このように構成される携帯電話装置１は、内蔵するループアンテナで受信した信号に基づいて、好適な通信処理と電力処理を行う機能を有している。以下に、当該機能を実現するための一の構成例について説明する。
【００２２】
携帯電話装置１は、図２に示すように、アンテナ３３と、第１信号処理部３４と、第２信号処理部３５と、信号検出部３６と、選択部３７と、制御部３８と、充電池３９を備える。なお、本実施例では、第１信号処理部３４と、信号検出部３６と、制御部３８が表示部側筐体部３に配置され、第２信号処理部３５と、充電池３９が操作部側筐体部２に配置され、選択部３７がヒンジ機構４付近に配置される構成を一例として説明するが、各部の配置は、これに限られない。
【００２３】
アンテナ３３は、筐体の内部においてそれぞれ異なる位置に配置される第１ループ部３１および第２ループ部３２を有する。なお、図２においては、アンテナ３３は、操作部側筐体部２および表示部側筐体部３の内部に配置されているが、それぞれの筐体の外観をなす表面に配置されていても良い。
【００２４】
第１ループ部３１は、図２に示すように、操作部側筐体部２において、所定の直径（例えば、０．１ｍｍ程度）を有する銅線等が、所定の大きさのループを描くように、複数回渦巻き状に巻かれてコイルを形成する。
【００２５】
また、第２ループ部３２は、図２に示すように、表示部側筐体部３において、所定の直径（例えば、０．１ｍｍ程度）を有する銅線等が、所定の大きさのループを描くように、複数回渦巻き状に巻かれてコイルを形成する。
【００２６】
第１信号処理部３４は、ＲＦＩＤ処理部を構成しており、アンテナ３３により受信された第１の信号Ｓ１に基づいて所定の信号処理を行い、例えば、施設における入退室時の認証処理を行う。
【００２７】
第２信号処理部３５は、充電器（充電台）からのワイヤレス（非接触）給電に基づいて、充電池３９に充電を行う機能（ワイヤレス充電機能）を有する充電回路部を構成しており、アンテナ３３により受信される第２の信号Ｓ２に基づいて所定の処理を行い、充電池３９に対して充電を行う。
【００２８】
また、信号検出部３６は、アンテナ３３と第１信号処理部３４との間に設けられ、第１の信号Ｓ１または第２の信号Ｓ２を検出する。
【００２９】
選択部３７は、第１ループ部３１および第２ループ部３２のそれぞれの一方端部同士が接続されて一つのループ状のアンテナ３３が形成されると共に第１ループ部３１および第２ループ部３２のそれぞれの他方端部が信号検出部３６に接続される第１状態と、第１ループ部３１の一方端部および他方端部が第２信号処理部３５と接続されると共に第２ループ部３２の一方端部および他方端部が信号検出部３６と接続される第２状態とを制御部３８の制御により選択可能に構成されている。
【００３０】
また、選択部３７は、図２に示すように、第１選択部３７ａと第２選択部３７ｂにより構成されている。第１選択部３７ａは、Ａ端子、Ｂ端子、Ｃ端子およびＤ端子を有する。第２選択部３７ｂは、ａ端子、ｂ端子、ｃ端子、ｄ端子、ｅ端子、ｆ端子、ｇ端子およびｈ端子を有する。
【００３１】
また、アンテナ３３を構成する第１ループ部３１は、一方端側が第１選択部３７ａに接続され、他方端側が第２選択部３７ｂに接続されている。また、アンテナ３３を構成する第２ループ部３２は、一方端側が第１選択部３７ａに接続され、他方端側が第２選択部３７ｂに接続されている。
【００３２】
制御部３８は、第１状態において、信号検出部３６により第１の信号Ｓ１が検出された場合には、第１信号処理部３４により第１の信号Ｓ１を処理するように制御し、また、信号検出部３６により第２の信号Ｓ２が検出された場合には、選択部３７を制御して、第１状態から第２状態に切り替える。
【００３３】
ここで、第１状態における第１選択部３７ａと第２選択部３７ｂの切替状態について説明する。制御部３８は、第１状態においては、図３に示すように、第１選択部３７ａのＡ端子とＢ端子が電気的に接続されるように切替制御を行い、かつ、第２選択部３７ｂのａ端子とｃ端子、およびｄ端子とｆ端子が電気的に接続されるように切替制御を行う。
【００３４】
つぎに、第２状態における第１選択部３７ａと第２選択部３７ｂの切替状態について説明する。制御部３８は、第２状態においては、図４に示すように、第１選択部３７ａのＡ端子とＣ端子、およびＢ端子とＤ端子が電気的に接続されるように切替制御を行い、かつ、第２選択部３７ｂのａ端子とｅ端子、ｂ端子とｆ端子、ｃ端子とｈ端子、およびｄ端子とｇ端子が電気的に接続されるように切替制御を行う。
【００３５】
ここで、第１信号処理部３４の具体的な動作について説明する。以下では、施設への入場処理を想定して説明を行う。また、携帯電話装置１は、予め、施設の外部に設置されているリーダ・ライタ装置（外部機器）に対して、施設への入場を許可させるための所定の登録処理が行われており、所定のパスワードを取得しているものとする。
【００３６】
ユーザは、携帯電話装置１を施設の外部に設置されている外部機器に対して、所定距離まで接近させる。
第１信号処理部３４は、アンテナ３３により外部機器から送信される信号（第１の信号Ｓ１）を受信する。なお、第１の信号Ｓ１は、所定の使用周波数（例えば、１３．５６ＭＨｚ）を搬送波とする信号である。
【００３７】
第１信号処理部３４は、アンテナ３３により受信した信号に対して復調等の信号処理を行い、処理後の信号（パスワード要求信号）に基づいて、パスワードをメモリ（不図示）から読み出して、所定の使用周波数を搬送波とする信号を生成する。
【００３８】
携帯電話装置１は、生成した信号を外部機器に送信する。外部機器は、受信した信号に基づいてパスワードを抽出し、認証処理を行い、パスワードが正当であると判断した場合には、施設の扉を開く等の処理を行う。
【００３９】
また、第１信号処理部３４は、充電池３９から供給された電流に基づいて駆動する能動型（Ａｃｔｉｖｅ）であっても良いし、外部機器によって発せられている電磁波を利用して電磁誘導作用により起電力が発生する、いわゆる受動型（Ｐａｓｓｉｖｅ）の誘導電磁界方式（電磁誘導方式）や、受動型の相互誘導方式（電磁結合方式）や、放射電磁界方式（電波方式）等であっても良い。また、第１信号処理部３４のアクセス方式として、リード・ライト型であっても良いし、リードオンリー型や、ライトワンス型等であっても良い。
【００４０】
次に、第２信号処理部３５の具体的な動作について説明する。なお、ワイヤレス充電においては、現在、電磁誘導方式、電波受信方式および共鳴方式が提案されているが、本実施例では、電磁誘導方式を採用した場合を例にして説明を行なう。
【００４１】
ユーザは、携帯電話装置１を充電器の上に載置する。
第２信号処理部３５は、充電器から送信される信号（第２の信号Ｓ２）をアンテナ３３により受信し、電磁誘導により生じた電流を所定の電流に変換し、変換後の電流を充電池３９に供給することにより、充電池３９に対して充電を行う。
【００４２】
携帯電話装置１は、初期（デフォルト）状態において第１状態に切替制御を行うことにより、第１ループ部３１と第２ループ部３２とを連結するので、どちらのループで信号を受信しても必ず信号検出部３６に信号を供給することができる。
【００４３】
よって、携帯電話装置１は、信号検出部３６によりアンテナ３３（第１ループ部３１または第２ループ部３２）で受信した信号が第１の信号Ｓ１であると判断された場合には、第１の信号Ｓ１をそのまま第１信号処理部３４に伝送することができるので、好適な通信処理を行うことができる。
【００４４】
また、携帯電話装置１は、信号検出部３６によりアンテナ３３（第１ループ部３１または第２ループ部３２）で受信した信号が第２の信号Ｓ２であると判断された場合には、選択部３７を第１状態から第２の状態に切り替えて、第１ループ部３１を第２信号処理部３５に接続し、かつ第２ループ部３２を第１信号処理部３４に接続する。
【００４５】
これにより、第１ループ部３１で受信した信号が第２信号処理部３５に伝送されるので、当該信号が第２の信号Ｓ２であれば、第２信号処理部３５で好適に充電処理を行うことができる。
【００４６】
また、第２ループ部３２で受信した信号が信号検出部３６に伝送されるので、当該信号が第１の信号Ｓ１であれば、第１信号処理部３４で好適に通信処理を行うことができる。
【００４７】
なお、図４は、携帯電話装置１が閉状態のときの第１選択部３７ａと第２選択部３７ｂの切替状態を示している。例えば、携帯電話装置１は、閉状態において、操作部側筐体部２が充電器１０１（充電台）に対向して載置されることにより、第１ループ部３１で受信した第２の信号Ｓ２を第２信号処理部３５に伝送することで充電処理を行い、かつ、表示部側筐体部３が外部機器１０２に対向することにより、第２ループ部３２で受信した第１の信号Ｓ１を第１信号処理部３４に伝送することで通信処理を行うことができる（図５を参照）。
【００４８】
選択部３７は、第１状態および第２状態に加え、第１ループ部３１の一方端部および他方端部が信号検出部３６と接続されると共に第２ループ部３２の一方端部および他方端部が第２信号処理部３５と接続される第３状態を制御部３８の制御により選択可能に構成される。制御部３８は、第２状態において信号検出部３６により第２の信号Ｓ２が検出された場合には、選択部３７により第３状態を選択する。
【００４９】
具体的には、制御部３８は、図６に示すように、第１選択部３７ａのＡ端子とＣ端子、およびＢ端子とＤ端子が電気的に接続されるように切替制御を行い、かつ、第２選択部３７ｂのａ端子とｈ端子、ｂ端子とｇ端子、ｃ端子とｅ端子、およびｄ端子とｆ端子が電気的に接続されるように切替制御を行うことにより第３状態を選択する。
【００５０】
携帯電話装置１は、第２状態において信号検出部３６によりアンテナ３３（第２ループ部３２）で受信した信号が第２の信号Ｓ２であると判断された場合には、選択部３７を第２の状態から第３の状態に切り替えて、第１ループ部３１を信号検出部３６に接続し、かつ第２ループ部３２を第２信号処理部３５に接続する。
【００５１】
よって、携帯電話装置１は、第２ループ部３２で受信した信号（第２の信号Ｓ２）を第２信号処理部３５に供給するので、好適に充電処理を行うことができる。
【００５２】
また、携帯電話装置１は、第１ループ部３１で受信した信号を信号検出部３６に供給するので、当該信号が第１の信号Ｓ１であれば、第１信号処理部３４で好適に通信処理を行うことができる。
【００５３】
なお、図６は、携帯電話装置１が閉状態のときの第１選択部３７ａと第２選択部３７ｂの切替状態を示している。例えば、携帯電話装置１は、閉状態において、表示部側筐体部３が充電器１０１（充電台）に対向して載置されることにより、第２ループ部３２で受信した第２の信号Ｓ２を第２信号処理部３５に供給することで充電処理を行い、かつ、操作部側筐体部２が外部機器１０２に対向することにより、第１ループ部３１で受信した第１の信号Ｓ１を第１信号処理部３４に供給することで通信処理を行うことができる（図７を参照）。
【００５４】
また、携帯電話装置１は、上述したように、互いに対向する第１面（操作部側筐体部２の表面部１０）および第２面（表示部側筐体部３の表面部２０）を有する。また、第１ループ部３１は、操作部側筐体部２に配置され、第２ループ部３２は、表示部側筐体部３に配置される。
このようにして、携帯電話装置１は、折り畳み型に適用することができ、閉状態において上述の認証処理および充電処理を好適に行うことができる。
【００５５】
また、一つの筐体を有するいわゆるストレートタイプの携帯電話装置においても、筐体の互いに対向する第１面と第２面にそれぞれループ部が配置されていれば、同様の効果を奏する。
【００５６】
また、携帯電話装置１は、上述したように、表面部１０を有する操作部側筐体部２と、表面部２０を有する表示部側筐体部３と、表面部１０と反対側の面と、表面部２０と反対側の面とが互いに対向した状態で操作部側筐体部２と表示部側筐体部３とが積層配置された閉状態と、表面部１０と表面部２０とが互いに離間した状態で操作部側筐体部２と表示部側筐体部３とが所定方向に並ぶように配置される開状態とをとり得るように操作部側筐体部２と表示部側筐体部３とを開閉軸を中心に開閉可能に連結するヒンジ機構４（連結部）を有する。
【００５７】
第１ループ部３１および第２ループ部３２は、開状態において一つのループ状のアンテナ３３が形成される際に、第１ループ部３１により受信される信号と第２ループ部３２により受信される信号とが打ち消しあわないよう操作部側筐体部２または表示部側筐体部３それぞれに配置される。
【００５８】
携帯電話装置１は、このようにして、第１ループ部３１により受信される信号と第２ループ部３２により受信される信号とが打ち消しあわないよう操作部側筐体部２または表示部側筐体部３それぞれに配置されるので、好適に通信処理と電力処理を同時に行うことができる。
【００５９】
また、第１ループ部３１および第２ループ部３２は、閉状態において操作部側筐体部２および表示部側筐体部３の積層方向にみた場合における第１ループ部３１のループ方向と、積層方向にみた第２ループ部３２のループ方向とが互いに反対の方向になるよう操作部側筐体部２または表示部側筐体部３それぞれに配置される。
【００６０】
また、携帯電話装置１は、図２に示すように、操作部側筐体部２および表示部側筐体部３の少なくとも一方に配置される磁界遮蔽部材４０を有する。磁界遮蔽部材４０は、閉状態において、第１ループ部３１と第２ループ部３２との間に配置される。なお、図２（ａ）においては、磁界遮蔽部材４０が操作部側筐体部２側に配置されている例を示している。また、第１ループ部３１は、操作部側筐体部２における連結部側の領域に配置される。第２ループ部３２は、表示部側筐体部３における連結部側の領域に配置される。また、携帯電話装置１は、磁界遮蔽部材４０を専用の部材で構成しなくても良く、回路基板やシールド基板を磁界遮蔽部材として利用する構成であっても良い。
【００６１】
よって、携帯電話装置１は、複数のループ部で同時に信号を受信した際に、閉状態において、上記積層方向に見た第１ループ部３１のループ方向と第２ループ部３２のループ方向とが反対の方向となることに起因する各ループ部で発生する磁束の打ち消しあいを低減することができる。
【００６２】
つぎに、携帯電話装置１の動作について、図８に示すフローチャートを参照しながら説明する。
【００６３】
ステップＳＴ１において、制御部３８は、第１選択部３７ａと第２選択部３７ｂを制御して、デフォルト状態である第１状態に切替制御を行う（図３を参照）。
【００６４】
ステップＳＴ２において、信号検出部３６は、アンテナ３３（第１ループ部３１または第２ループ部３２）により受信した信号を検出し、検出した信号が第１の信号Ｓ１であるか第２の信号Ｓ２であるかを判断する。第１の信号Ｓ１であると判断した場合には、ステップＳＴ３に進み、第２の信号Ｓ２であると判断した場合には、ステップＳＴ４に進む。
【００６５】
ここで、第１の信号Ｓ１と第２の信号Ｓ２は、搬送波の周波数や、変調方法等が異なっている。よって、制御部３８は、これらの違いに基づいて、アンテナ３３により受信した信号が第１の信号Ｓ１であるか第２の信号Ｓ２であるかを判断すれば良い。
【００６６】
ステップＳＴ３において、第１信号処理部３４は、第１の信号Ｓ１に基づいて所定の通信処理を行う。
【００６７】
ステップＳＴ４において、制御部３８は、選択部３７を制御して、第１状態から第２状態に切り替える（図４を参照）。なお、第２状態では、信号検出部３６には、第２ループ部３２のみが接続されている。
【００６８】
ステップＳＴ５において、信号検出部３６は、アンテナ３３（第２ループ部３２）により信号（第２の信号Ｓ２）を受信したかどうかを判断する。受信していると判断した場合（Ｙｅｓ）には、ステップＳＴ６に進み、受信していないと判断した場合（Ｎｏ）には、ステップＳＴ７に進む。
【００６９】
ステップＳＴ６において、制御部３８は、選択部３７を制御して、第２状態から第３状態に切り替える（図６を参照）。なお、第３状態では、信号検出部３６には、第１ループ部３１のみが接続されている。
【００７０】
ステップＳＴ７において、第２信号処理部３５は、第２の信号Ｓ２に基づいて充電処理を行う。
【００７１】
このようにして、携帯電話装置１は、アンテナ３３で受信した信号がいずれの処理部に適したものかを判断し、好適な通信処理と電力処理を行うことができる。
【００７２】
なお、本実施例においては、信号検出部３６は、第１信号処理部３４と選択部３７の間に配置されるものとして説明したが、これに限られず、第２信号処理部３５と選択部３７の間に配置される構成であっても良い。
【００７３】
また、上述の実施形態では、第２状態においては第２ループ部３２が信号検出部３６に接続されると共に第１ループ部３１が第２信号処理部３５に接続され、第３状態においては第１ループ部３１が信号検出部３６に接続されると共に第２ループ部３２が第２信号処理部３５に接続されるが、本発明はこれに限定されない。例えば、第２状態において第１ループ部３１が信号検出部３６に接続されると共に第２ループ部３２が第２信号処理部３５に接続され、第３状態において第２ループ部３２が信号検出部３６に接続されると共に第１ループ部３１が第２信号処理部３５に接続されても良い。
【００７４】
また、上述の実施形態では、第１信号処理部３４と第２信号処理部３５とがそれぞれ独立して携帯電話装置１に設けられているが、本発明はこれに限定されない。一の信号処理部が第１信号処理部３４および第２信号処理部３５を有していても良いし、一の信号処理部がアンテナ３３により受信される第１の信号Ｓ１および第２の信号Ｓ２のそれぞれを処理することができても良い。
【００７５】
この場合、制御部３８は、第１ループ部３１および第２ループ部３２により形成される一つのループアンテナが信号検出部に接続された状態で、信号検出部３６により第１の信号Ｓ１が検出された場合には上記一つのループアンテナにより受信される信号を一の信号処理部に伝送し、信号検出部３６により第２の信号Ｓ２が検出された場合には第１ループ部３１により受信される信号を一の信号処理部に伝送すると共に第２ループ部３２により受信される信号を信号検出部３６に伝送しても良い。そして、制御部３８は、第２ループ部３２と接続された信号検出部３６により第２の信号Ｓ２が検出された場合には、第１ループ部３１により受信される信号を信号検出部３６に伝送すると共に第２ループ部３２により受信される信号を一の信号処理部に伝送しても良い。
【００７６】
また、上述の実施形態では、第１信号処理部３４は、外部機器１０２との間で施設の入場処理に用いられる信号を送信または受信するが、本発明はこれに限定されない。例えば、コンビニエンスストア等に設置されている外部機器との間で非接触通信により課金処理を行うための信号を送受信しても良い。
【００７７】
また、上述の実施形態では、第１の信号Ｓ１および第２の信号Ｓ２を送受信する処理として、例えば１３．５６ＭＨｚの信号による非接触通信および非接触充電を想定しているが、本発明はこれに限定されず、ループアンテナにより外部の機器と通信を行うものであれば良い。
【００７８】
また、上述の実施形態では、信号検出部３６は、第１ループ部３１、第２ループ部３２ならびに第１ループ部３１および第２ループ部３２からなるアンテナ３３のいずれかにより受信される信号が第１の信号Ｓ１であるかもしくは第２の信号Ｓ２であるかを判定するが、本発明はこれに限定されない。信号検出部３６は、アンテナ３３により受信される信号の一部（例えば、ヘッダ）を読み出し、当該読み出した一部に基づいてアンテナ３３により受信される信号の種類を判定しても良い。
【符号の説明】
【００７９】
１  携帯電話装置
２  操作部側筐体部（第１筐体）
３  表示部側筐体部（第２筐体）
３１  第１ループ部
３２  第２ループ部
３３  アンテナ
３４  第１信号処理部
３５  第２信号処理部
３６  信号検出部
３７  選択部
３８  制御部
３９  充電池
【図１】
0005622612.tif 000002
【図２】
0005622612.tif 000003
【図３】
0005622612.tif 000004
【図４】
0005622612.tif 000005
【図５】
0005622612.tif 000006
【図６】
0005622612.tif 000007
【図７】
0005622612.tif 000008
【図８】
0005622612.tif 000009